(57)【要約】【課題】  簡単な構成でキャップ容器本体の外表面を伝わってキャップ側に流れ落ちる水滴がキャップ内に浸入することを防止し、またチューブ容器内に残留している内容物を搾り出しやすくすることを可能としたチューブ容器を創出することを課題とする。【解決手段】  内容物が収納される胴部５上端に設けられた肩部４に口筒部３が立設されたチューブ本体１と、口筒部３に装着されると共にチューブ本体１の倒立を維持するキャップ１１とを有して成るチューブ容器であって、肩部４が胴部５内に陥没することで凹部９が形成されると共に、キャップ１１の開口端１３ａが凹部９内に入り込んだ構成とする。【選択図】  図３
2019011101.tif 000002
【特許請求の範囲】
【請求項１】
内容物が収納される胴部（５）上端に設けられた肩部（４）に口筒部（３）が立設されたチューブ本体（１）と、前記口筒部（３）に装着されると共に前記チューブ本体（１）の倒立を維持するキャップ（１１）とを有して成るチューブ容器であって、
前記肩部（４）が前記胴部（５）内に陥没することで凹部（９）が形成されると共に、前記キャップ（１１）の開口端（１３ａ）が前記凹部（９）内に入り込んでいることを特徴とするチューブ容器。
【請求項２】
肩部（４）の断面形状が湾曲状又は台形状である請求項１記載のチューブ容器。
【請求項３】
肩部（４）と胴部（５）との境界部分に第１屈曲部（７）が形成され、口筒部（３）と前記肩部（４）との境界部分に第２屈曲部（８）が形成されており、前記肩部（４）は前記該第１屈曲部（７）及び前記第２屈曲部（８）を起点として反転変形可能とされている請求項１又は２に記載のチューブ容器。
【請求項４】
第１屈曲部（７）及び第２屈曲部（８）が肉薄部で形成されている請求項３記載のチューブ容器。
【請求項５】
キャップ（１１）の開口端（１３ａ）が、凹部（９）の表面に当接している請求項１乃至４のずれか一項に記載のチューブ容器。
【発明の詳細な説明】
【技術分野】
【０００１】
本発明はチューブ容器に関わり、特にはバスルームや洗面所等に倒立状態で保管されるチューブ容器に関する。
【背景技術】
【０００２】
従来より、洗顔フォーム、シャンプー、ヘアトリートメント剤等を内容物として充填し、容器側の胴部をスクイズすることによって注出口から内容物を注出するチューブ容器が知られている（例えば、特許文献１）。
【０００３】
このようなチューブ容器は、バスルームや洗面所等で使用されそのまま保管されることが多く、頂壁を平坦面に形成したキャップをバスルームや洗面所内の設置面に接触させることによって、チューブ容器本体の口筒部が下側に向く倒立姿勢の状態で保管されることが通常である。
【先行技術文献】
【特許文献】
【０００４】
【特許文献１】特開２０１５−１４５２６２号公報
【発明の概要】
【発明が解決しようとする課題】
【０００５】
しかしながら、上述のようにチューブ容器本体の口部が下側に向く状態でバスルームや洗面所内の設置面に保管される場合には、キャップとチューブ容器本体との間に形成される隙間が上側を向く状態となるので、この隙間を通じてキャップの内側に水などが浸入し、内容物の品質を劣化させたり、あるいはキャップ内に溜まった水がカビや雑菌を繁殖させたりする虞がある。
【０００６】
さらに上記従来のチューブ容器では、特にチューブ容器を使い切る直前の段階において、チューブ容器内に残留している内容物を搾り出し難いという問題がある。
【０００７】
本発明は、上記した従来技術における問題点を解消すべく、キャップを下に向けた倒立状態で保管されるチューブ容器おいて、特に簡単な構成でチューブ容器本体の外表面を伝わってキャップ側に流れ落ちる水滴がキャップ内に浸入することを防止し、またチューブ容器内に残留している内容物を搾り出しやすくすることを可能としたチューブ容器を創出することを課題とする。
【課題を解決するための手段】
【０００８】
上記課題を解決するための手段のうち、本発明の主たる手段は、
内容物が収納される胴部上端に設けられた肩部に口筒部が立設されたチューブ本体と、口筒部に装着されると共にチューブ本体の倒立を維持するキャップとを有して成るチューブ容器であって、
肩部が胴部内に陥没することで凹部が形成されると共に、キャップの開口端が凹部内に入り込んでいることを特徴とする、と云うものである。
【０００９】
本発明の主たる手段では、チューブ容器を倒立状態にすると、キャップの開口端はチューブ本体側の凹部内に入り込むが、凹部は傘として機能するため、チューブ容器の胴部表面を伝わって流れ落ちる水滴がキャップ内に入り込むことを防止し得る。
【００１０】
また本発明の他の手段は、上記手段に、肩部の断面形状が湾曲状又は台形状である、との手段を加えたものである。
【００１１】
上記手段では、肩部を一度反転させて凹部状に陥没させると元の肩部に戻りにくくすることを達成し得る。
【００１２】
また本発明の他の手段は、上記いずれかの手段に、肩部と胴部との境界部分に第１屈曲部が形成され、口筒部と肩部との境界部分に第２屈曲部が形成されており、肩部は該第１屈曲部及び第２屈曲部を起点として反転変形可能とされている、との手段を加えたものである。
【００１３】
上記手段では、チューブ本体の上端に凹部を容易に形成する機能を発揮し得る。
【００１４】
また本発明の他の手段は、上記手段に、第１屈曲部及び第２屈曲部が肉薄部で形成されている、との手段を加えたものである。
【００１５】
上記手段では、肩部を凹部にする第１屈曲部及び第２屈曲部を簡単且つ低コストで形成し得る。
【００１６】
また本発明の他の手段は、上記いずれかの手段に、キャップの開口端が、凹部の表面に当接している、との手段を加えたものである。
【００１７】
上記手段では、開口端がキャップ内に浸入しようとする水滴を堰き止める機能を発揮し得る。
【発明の効果】
【００１８】
本発明では、チューブ本体の外表面を伝わってキャップ側に流れ落ちる水滴がキャップ内に浸入することを防止することにより、内容物の品質劣化及びカビや雑菌の繁殖を抑制することができる。
またチューブ容器を使い切る直前においては、チューブ容器内に残留している内容物を容易に搾り出すことができる。
【図面の簡単な説明】
【００１９】
【図１】本発明の実施例として、チューブ容器の正立状態を示す半断面図である。
【図２】チューブ本体に凹部を形成する過程を示し、Ａは凹部を形成する直前の状態、Ｂは凹部を形成した直後の状態、Ｃは更にキャップを装着した状態を示している。
【図３】チューブ容器を倒立させた状態を拡大して示す部分半断面図である。
【図４】比較例として従来例のチューブ容器を拡大して示す部分断面図ある。
【図５】本発明のチューブ容器を拡大して示す部分断面図である。
【図６】本発明の第２実施例を示すチューブ容器であり、Ａはチューブ本体の正立状態を示す半断面図、Ｂは凹部を形成した直後のチュープ容器の正立状態を示す半断面図である。
【発明を実施するための形態】
【００２０】
以下、本発明の実施の形態について図面を参照しつつ説明する。
図１は本発明の実施例として、チューブ容器の正立状態を示す半断面図、図２はチューブ容器本体に凹部を形成する過程を示し、Ａは凹部を形成する直前の状態、Ｂは凹部を形成した直後の状態、Ｃは更にキャップを装着した状態を示している。また図３はチューブ容器を倒立させた状態を拡大して示す部分半断面図である。
本発明のチューブ容器は、例えば洗顔フォーム、ヘアトリートメント剤、歯磨き剤、化粧料等の内容物を収容する容器であり、例えばバスルームや洗面所の棚や台座等の設置面上にキャップを下に向けた倒立姿勢の状態で置かれるものである。
図１に示すように、チューブ容器は、内容物が収容されるチューブ本体１と、封止用のキャップ１１を有して構成されている。チューブ本体１は、例えばポリエチレンなど合成樹脂製の積層シートを丸めて両端部を重ね合わせ、その重ね合わせ部を溶着して円筒状に形成された胴部５の上端にヘッド部２が設けられている。ヘッド部２は、凹状に形成された肩部４と、この肩部４の中央に立設された口筒部３とを有して構成され、ヘッド部２の基端である肩部４の基端が胴部５の上端に溶着等により接続されたものである。また胴部５の下端は扁平状にシールされた底シール部６によって封止されている。なお、口筒部３の外周面には雄ネジ部３ａが形成されている。
【００２１】
図２Ａに示すように、ヘッド部２の基端（肩部４の基端）が胴部５の上端に接続された直後は、肩部４は胴部５の上方に向かって断面湾曲状（ドーム状）に突出している。肩部４と胴部５の境界部分に肉薄部から成る第１屈曲部７が環状に形成され、同じく肩部４と口筒部３の境界部分にも肉薄部から成る第２屈曲部８が環状に形成されている。そして、図２Ｂに示すように、ヘッド部２を下方のチューブ本体１側に向かって押し込むと、肩部４が第１屈曲部７及び第２屈曲部８を起点に陥没状に反転変形する。反転変形後のチューブ本体１の上部には、肩部４が陥没設して成る断面円弧状の凹部９が形成されている。肩部４を一度反転させて凹部９を形成した後は、使用者がチューブ本体１の胴部５をスクイズして内容物を吐出したとしても、簡単に凹部９が再反転して元の肩部４の形状（上方に湾曲状に突出する形状）に戻らないようになっている。また口筒部３の先端部分は、境界部分である第１屈曲部７よりも上方に突出している。
【００２２】
図１に示すように、キャップ１１は頂壁１２下面側に外筒部１３及び内筒部１４が垂下設された有頂二重円筒状から成る合成樹脂製の部材であり、内筒部１４の内周面には口筒部３に形成された雄ネジ部３ａに螺合する雌ネジ部１４ａが形成されている。キャップ１１の頂壁１２は平面視円形状であるが、その断面は水平又は下方に向かって僅かに凹状に湾曲する形状を有して形成されている。
外筒部１３の半径ｒは、チューブ本体１の容器軸Ｏから第１屈曲部７までの半径Ｒよりも小さい寸法で形成されている。また外筒部１３の高さ寸法Ｈは、本実施例ではキャップ１１をチューブ本体１側の口筒部３に装着した状態において、外筒部１３の開口端１３ａが陥没設された断面円弧状の凹部９の表面のいずれかの位置に対して近接する寸法で形成されているが、いずれかの位置にて当接する寸法で形成されていても良い。
尚、この実施例では、チューブ本体１の口筒部３に上方に向かって縮径状に形成されて成るノズル１０が取り付けられており、ノズル１０の先端の吐出口から内容物を吐出させることが可能となっている。
【００２３】
図１及び図２Ｃに示すように、キャップ１１をチューブ本体１側の口筒部３に装着し、キャップ１１側の雄ネジ部３ａをチューブ本体１側の雌ネジ部１４ａに螺合させることにより口筒部３を封止することができる。この際、キャップ１１側の外筒部１３の開口端１３ａが、チューブ本体１側に陥没設された凹部９の表面に近接することになる。
【００２４】
このチューブ容器は、キャップ１１をチューブ本体１側の口筒部３に装着した後、キャップ１１を下方に向けた倒立姿勢の状態でバスルームや洗面所の棚や台座等の設置面２０の上に置かれる。上記のように、キャップ１１の頂壁１２は、その断面が水平又は下方に向かって僅かに凹状に湾曲する形状であることから、チューブ容器はキャップ１１を下方に向けた状態で設置面２０の上に載せることにより、チューブ容器の倒立姿勢を安定的に維持する高い自立性を有している。
【００２５】
チューブ容器から内容物を吐出させて洗顔等を行った使用後の状態においては、水滴Ｗが胴部５表面に付着することになる。図３に示すように、これらの水滴Ｗは胴部５表面を伝わり、チューブ容器下方の第１屈曲部７から直接設置面２０に落下する。あるいは第１屈曲部７からキャップ１１の外筒部１３を伝わって下方に流れ落ちることになる。よって、水滴Ｗが凹部９を介してキャップ１１内に浸入することを防止できる。
【００２６】
特に倒立姿勢の状態において、キャップ１１の開口端１３ａが、第１屈曲部７よりも上方に位置すると共に凹部９内に入り込んで凹部９の表面に当接する構成ものでは、水滴Ｗのキャップ１１内への浸入を効果的に堰き止めることが可能となる。よって、このような構成のチューブ容器では、キャップ１１内に浸入した水による内容物の品質劣化を防止し、あるいはキャップ１１内に溜まった水を原因とするカビや雑菌の繁殖を抑制することができる。
【００２７】
図４は比較例として従来例のチューブ容器を拡大して示す部分断面図、図５は本発明のチューブ容器を拡大して示す部分断面図である。
ところで、図４に示すように従来例のチューブ容器は、口筒部３側に突出形状された肩部４がほとんど反転変形しない形状であるため、胴部５を搾っても内容物を吐出させ難いものであった。
これに対し、図５に示すように、本発明のチューブ容器では肩部４が反転変形可能であることから、肩部４を陥没設させて凹部９とした状態では、肩部４の内面が胴部５の内面に接近するので内容物をより簡単に搾り出すことが可能である。よって、特にチューブ容器を使い切る直前においては、チューブ容器内に残留している内容物をこれまで以上に効率良く搾り出すことができる。
【００２８】
図６は本発明の第２実施例を示すチューブ容器であり、Ａはチューブ本体の正立状態を示す半断面図、Ｂは凹部を形成した直後のチュープ容器の正立状態を示す半断面図である。
第２実施例に示すチューブ容器が、上記第１実施例において説明したチューブ容器と異なる点は肩部４及び凹部９の形状にあり、その他の構成及び効果を上記第１実施例同様である。
図６Ａに示すように第２実施例に示すチューブ容器では、肩部４が中間屈曲部４ａで屈曲する断面略台形状で形成される構成である。そして、図６Ｂに示すように、この第２実施例においも肩部４を第１屈曲部７及び第２屈曲部８を起点に陥没状に反転変形させることで凹部９が形成されるが、このとき肩部４は中間屈曲部４ａにおいても反転することになる。この第２実施例においても、上記第１実施例同様又はそれ以上に、簡単に凹部９が再反転して元の肩部４の形状（上方に湾曲状に突出する形状）に戻ることを抑制することが可能である。
【００２９】
以上、実施例に沿って本発明の構成とその作用効果について説明したが、本発明の実施の形態は上記実施例に限定されるものではない。
例えば、上記実施例では、チューブ本体１の口筒部３の先端にノズル１０を有する構成を示して説明したが、本発明はこれに限られるものではなく、口筒部３にノズル１０を設けず、内容物が口筒部３を介して直接吐出される構成であっても良い。
【００３０】
また上記実施例では、ヘッド部２をチューブ本体１側に押し込んで肩部４を反転変形させて凹部９を形成した後にキャップ１１を装着する構成を示して説明したが、本発明はこれに限られるものではなく、先に凸状に突出した状態のヘッド部２の口筒部３にキャップ１１を装着し、その後にキャップ１１を押下して肩部４を反転変形させることによっても同様に凹部９を形成することが可能である。
【産業上の利用可能性】
【００３１】
本発明は、バスルームや洗面所等に倒立状態で配置されるチューブ容器の分野における用途展開をさらに広い領域で図ることができる。
【符号の説明】
【００３２】
１    ：  チューブ本体
２    ：  ヘッド部
３    ：  口筒部
３ａ  ：  雄ネジ部
４    ：  肩部
４ａ  ：  中間屈曲部
５    ：  胴部
６    ：  底シール部
７    ：  第１屈曲部（境界部分）
８    ：  第２屈曲部（境界部分）
９    ：  凹部
１０    ：  ノズル
１１  ：  キャップ
１２  ：  頂壁
１３  ：  外筒部
１３ａ：  開口端
１４  ：  内筒部
１４ａ：  雌ネジ部
２０  ：  設置面
【図１】
2019011101.tif 000003
【図２】
2019011101.tif 000004
【図３】
2019011101.tif 000005
【図４】
2019011101.tif 000006
【図５】
2019011101.tif 000007
【図６】
2019011101.tif 000008